(57)【要約】【課題】  良好な撮像状態を確保した上で素子ユニットの清掃性の向上を図る。【解決手段】  撮像装置は、アクセサリーが着脱可能な筐体と、筐体の内部に配置され筐体の内部に入射する光を反射するミラーと、筐体の内部に配置されミラーにより反射された光を光電変換する撮像素子を有する素子ユニットと、素子ユニットに向かう光の一部を遮蔽する遮光板とを備え、遮光板が素子ユニットへ向かう光の一部を遮蔽する遮光位置と素子ユニットに対する所定の作業が行われるときに退避する退避位置との間で移動可能とされた。【選択図】        図４
2013083691.tif 000002
【特許請求の範囲】
【請求項１】
アクセサリーが着脱可能な筐体と、
前記筐体の内部に配置され前記筐体の内部に入射する光を反射するミラーと、
前記筐体の内部に配置され前記ミラーにより反射された光を光電変換する撮像素子を有する素子ユニットと、
前記素子ユニットに向かう光の一部を遮蔽する遮光板とを備え、
前記遮光板が前記素子ユニットへ向かう光の一部を遮蔽する遮光位置と前記素子ユニットに対する所定の作業が行われるときに退避する退避位置との間で移動可能とされた
撮像装置。
【請求項２】
前記遮光板が前記遮光位置と前記退避位置の間で回動可能とされた
請求項１に記載の撮像装置。
【請求項３】
前記退避位置が前記遮光位置より被写体側に位置される
請求項１に記載の撮像装置。
【請求項４】
前記遮光板を移動方向における少なくとも一方へ付勢する付勢バネを設けた
請求項１に記載の撮像装置。
【請求項５】
前記遮光板が前記遮光位置側へ付勢された
請求項４に記載の撮像装置。
【請求項６】
前記遮光板を前記退避位置側へ付勢する付勢バネを設け、
前記アクセサリーに、前記アクセサリーが前記筐体に取り付けられたときに前記遮光板に接触して前記遮光板を前記遮光位置に移動させる接触突部を設けた
請求項１に記載の撮像装置。
【請求項７】
前記遮光板が前記遮光位置において光軸に対して直交する方向を向くようにされた
請求項１に記載の撮像装置。
【請求項８】
前記ミラーが前記筐体の内部に入射する光を反射及び透過する半透過型のミラーであり、
前記筐体の内部に配置され前記ミラーを透過した光を光電変換する撮像センサを有する撮像ユニットを設けた
請求項１に記載の撮像装置。
【請求項９】
前記撮像素子と前記撮像センサを直交する向きで配置した
請求項８に記載の撮像装置。
【発明の詳細な説明】
【技術分野】
【０００１】
本技術は撮像装置についての技術分野に関する。詳しくは、撮像素子を有する素子ユニットに向かう光の一部を遮蔽する遮光板を移動可能とすることにより、良好な撮像状態を確保した上で素子ユニットの清掃性の向上を図る技術分野に関する。
【背景技術】
【０００２】
スチルカメラ等の撮像装置には、交換レンズが着脱可能な筐体と筐体の内部に撮像素子を有する素子ユニットとを備えたものがある（例えば、特許文献１参照）。このような撮像装置においては、交換レンズを筐体から取り外したときに交換レンズの取付口が開放された状態になるため、塵埃が取付口から筐体の内部に入り込み素子ユニットの表面に付着し易い。塵埃が素子ユニットに付着すると、塵埃の影が撮像素子に写り込み画質が低下する。
【０００３】
特許文献１に記載された撮像装置にあっては、素子ユニットの表面に空気を吹き付ける手段を用いて素子ユニットの表面上に付着した塵埃を除去している。
【０００４】
また、撮像装置においては、結像に寄与しない光（有害光）が素子ユニットに入射されると画質の低下を来たすため、素子ユニットへ向かう有害光を遮蔽する遮光板を設けたものがある。
【０００５】
このような遮光板が設けられた撮像装置においては、一般に、被写体の画像を生成する光（被写体光）の素子ユニットへの入射を妨げずに素子ユニットに向かう有害光を遮蔽するために、遮光板が素子ユニットの近傍に配置されている。
【先行技術文献】
【特許文献】
【０００６】
【特許文献１】特開２０１０−１３００８１号公報
【発明の概要】
【発明が解決しようとする課題】
【０００７】
ところが、遮光板が設けられた撮像装置においては、素子ユニットの表面に付着した塵埃を清掃するときに、素子ユニットの近傍に配置された遮光板が障害物となって素子ユニットにおける遮光板の近傍の表面に空気を吹き付けることが困難になり、素子ユニットの表面からの塵埃の除去が不十分になるおそれがある。
【０００８】
そこで、本技術撮像装置は、上記した問題点を克服し、良好な撮像状態を確保した上で素子ユニットの清掃性の向上を図ることを課題とする。
【課題を解決するための手段】
【０００９】
第１に、撮像装置は、上記した課題を解決するために、アクセサリーが着脱可能な筐体と、前記筐体の内部に配置され前記筐体の内部に入射する光を反射するミラーと、前記筐体の内部に配置され前記ミラーにより反射された光を光電変換する撮像素子を有する素子ユニットと、前記素子ユニットに向かう光の一部を遮蔽する遮光板とを備え、前記遮光板が前記素子ユニットへ向かう光の一部を遮蔽する遮光位置と前記素子ユニットに対する所定の作業が行われるときに退避する退避位置との間で移動可能とされたものである。
【００１０】
従って、撮像装置にあっては、遮光板が撮影時に遮光位置に位置されて素子ユニットへ向かう光の一部を遮蔽し、所定の作業時に退避位置に位置される。
【００１１】
第２に、上記した撮像装置においては、前記遮光板が前記遮光位置と前記退避位置の間で回動可能とされることが望ましい。
【００１２】
遮光板が遮光位置と退避位置の間で回動可能とされることにより、遮光板の移動スペースが小さくされる。
【００１３】
第３に、上記した撮像装置においては、前記退避位置が前記遮光位置より被写体側に位置されることが望ましい。
【００１４】
退避位置が遮光位置より被写体側に位置されることにより、退避位置が遮光位置より素子ユニットから離れた位置とされる。
【００１５】
第４に、上記した撮像装置においては、前記遮光板を移動方向における少なくとも一方へ付勢する付勢バネを設けることが望ましい。
【００１６】
遮光板を移動方向における少なくとも一方へ付勢する付勢バネを設けることにより、遮光板が付勢バネにより移動方向へ付勢される。
【００１７】
第５に、上記した撮像装置においては、前記遮光板が前記遮光位置側へ付勢されることが望ましい。
【００１８】
遮光板が遮光位置側へ付勢されることにより、遮光板が、外力が付与されない状態において遮光位置に位置される。
【００１９】
第６に、上記した撮像装置においては、前記遮光板を前記退避位置側へ付勢する付勢バネを設け、前記アクセサリーに、前記アクセサリーが前記筐体に取り付けられたときに前記遮光板に接触して前記遮光板を前記遮光位置に移動させる接触突部を設けることが望ましい。
【００２０】
遮光板を退避位置側へ付勢する付勢バネを設け、アクセサリーに、アクセサリーが筐体に取り付けられたときに遮光板に接触して遮光板を遮光位置に移動させる接触突部を設けることにより、アクセサリーが筐体に取り付けられたときに遮光板が遮光位置まで移動される。
【００２１】
第７に、上記した撮像装置においては、前記遮光板が前記遮光位置において光軸に対して直交する方向を向くようにされることが望ましい。
【００２２】
遮光板が遮光位置において光軸に対して直交する方向を向くようにされることにより、遮光板による素子ユニットへ向かう光の遮蔽量が大きくなる。
【００２３】
第８に、上記した撮像装置においては、前記ミラーが前記筐体の内部に入射する光を反射及び透過する半透過型のミラーであり、前記筐体の内部に配置され前記ミラーを透過した光を光電変換する撮像センサを有する撮像ユニットを設けることが望ましい。
【００２４】
ミラーが筐体の内部に入射する光を反射及び透過する半透過型のミラーであり、筐体の内部に配置されミラーを透過した光を光電変換する撮像センサを有する撮像ユニットを設けることにより、複数の異なる種類のデータの生成が可能とされる。
【００２５】
第９に、上記した撮像装置においては、前記撮像素子と前記撮像センサを直交する向きで配置することが望ましい。
【００２６】
撮像素子と撮像センサを直交する向きで配置することにより、撮像素子に対する光の入射方向と撮像センサに対する光の入射方向とが互いに直交する方向とされる。
【発明の効果】
【００２７】
本技術撮像装置は、遮光板が撮影時に遮光位置に位置されて素子ユニットへ向かう光の一部を遮蔽し、所定の作業時に退避位置に位置されて作業に対する干渉が回避されるので、良好な撮像状態を確保した上で素子ユニットへの所定の作業における作業性の向上を図ることができる。
【発明を実施するための形態】
【００２８】
以下に、本技術撮像装置を実施するため最良の形態を添付図面を参照して説明する。
【００２９】
以下に示した最良の形態は、本技術撮像装置をレンズ交換式のスチルカメラに適用したものである。
【００３０】
なお、本技術の適用範囲はレンズ交換式のスチルカメラに限られることはない。本技術は、例えば、レンズ交換式のビデオカメラ等の各種の撮像装置に広く適用することができる。
【００３１】
以下の説明にあっては、撮像装置（スチルカメラ）の撮影時において撮影者から見た方向で前後上下左右の方向を示すものとする。従って、被写体側が前方となり、撮影者側が後方となる。
【００３２】
なお、以下に示す前後上下左右の方向は説明の便宜上のものであり、本技術の実施に関しては、これらの方向に限定されることはない。
【００３３】
＜第１の実施の形態＞
以下に、第１の実施の形態に係る撮像装置及びこれに着脱される交換レンズについて説明する（図１乃至図５参照）。
【００３４】
［撮像装置の構成］
撮像装置１は筐体２の内外に所要の各部が配置されて成る（図１参照）。筐体２の外面には各種の操作部３、３、・・・が配置されている。操作部３、３、・・・としては、例えば、電源釦、シャッター、ズームスイッチ、モード切替摘子等が設けられている。
【００３５】
撮像装置１の背面には図示しない液晶パネル等の表示パネルが設けられている。
【００３６】
筐体２の前面には開口２ａが形成され、開口２ａの周囲の部分が交換レンズ１００を取り付けるための取付部２ｂとして設けられている。
【００３７】
交換レンズ１００は、撮像装置１に取り付けられるアクセサリーとして設けられ、鏡筒１０１の内部に撮像レンズ１０２を含むレンズ群が配置されている。鏡筒１０１の後端部には筐体２の取付部２ｂに取り付けられる被取付部１０３が設けられ、被取付部１０３はリング状に形成されている。鏡筒１０１には変倍用のズームリング１０４が回転自在に支持されている。ズームリング１０４を回転することにより内部に配置されたレンズ群が光軸方向へ移動されてズーミングが行われる。
【００３８】
筐体２の内部には撮像部１０が配置されている。
【００３９】
撮像部１０は、図２に示すように、取付部２ｂの後側に取り付けられたミラーボックス１１と、ミラーボックス１１の内部に配置されたミラーユニット１２と、ミラーユニット１２の後側に配置された撮像ユニット１３と、ミラーユニット１２の上側に配置された素子ユニット１４と、素子ユニット１４における前側の近傍に配置された遮光板１５とを備えている。
【００４０】
ミラーボックス１１は前後に長い略角筒状に形成された配置部１６と、配置部１６の前端部から外方へ張り出された前フランジ部１７と、配置部１６の後端部から外方へ張り出された後フランジ部１８とから成る。配置部１６の上面部には上下に貫通された挿入孔１６ａが形成されている。配置部１６の上面部における前端部の内側には、その左右方向における一端部に下方へ突出されたストッパー１６ｂが設けられている。前フランジ部１７の外周部には前方へ突出された突条部１７ａが設けられ、突条部１７ａは取付部２ｂの外周部に取り付けられている。後フランジ部１８には後方へ開口された配置凹部１８ａが形成されている。
【００４１】
ミラーユニット１２は、ミラー１９とミラー１９を配置部１６の内部において保持する保持部２０とを有している。ミラー１９は前後方向に延びる光軸Ｐに対して４５度の角度で傾斜した状態で配置されている。ミラー１９は開口２ａから筐体２の内部に入射された光を反射及び透過する半透過型のミラーである。従って、筐体２の内部に入射された光は、一部がミラー１９を透過されて撮像ユニット１３に入射され、残りの部分がミラー１９によって上方へ向けて反射され素子ユニット１４に入射される。
【００４２】
撮像ユニット１３は前側から後側へ順に配置されたシャッタ２１、枠部材２２、ローパスフィルター２３、スペーサー２４、光学部材２５、枠体２６、撮像センサ２７及び基板２８を備えている。
【００４３】
撮像ユニット１３はシャッタ２１がミラーボックス１１の後フランジ部１８に形成された配置凹部１８ａに配置され枠部材２２が後フランジ部１８の後面に接触された状態でミラーボックス１１に取り付けられている。前フランジ部１７の後端部には上側開口縁に図示しないバネ支持部が設けられている。
【００４４】
ローパスフィルター２３は、例えば、赤外線吸収ガラスである。
【００４５】
スペーサー２４は枠状に形成されている。
【００４６】
光学部材２５はスペーサー２４の開口及び枠体２６の開口を覆うように配置されている。
【００４７】
撮像センサ２７は光学像を電気的信号に変換する機能を有し、撮像センサ２７としては、例えば、ＣＣＤ（Charge Coupled Device）やＣＭＯＳ（Complementary Metal-Oxide Semiconductor）等が用いられている。撮像センサ２７の光電変換による電気的信号により静止画像等の画像データが生成される。
【００４８】
基板２８の後面には複数の電子部品２８ａ、２８ａ、・・・が搭載されている。
【００４９】
素子ユニット１４は下側から上側へ順に配置されたローパスフィルター２９、スペーサー３０、光学部材３１、枠体３２、撮像素子３３及び基板３４を備えている。
【００５０】
素子ユニット１４はローパスフィルター２９が配置部１６の挿入孔１６ａに挿入されて配置された状態で配置部１６に取り付けられている。
【００５１】
ローパスフィルター２９は、例えば、赤外線吸収ガラスである。
【００５２】
スペーサー３０は枠状に形成されている。
【００５３】
光学部材３１はスペーサー３０の開口及び枠体３２の開口を覆うように配置されている。
【００５４】
撮像素子３３は光学像を電気的信号に変換する機能を有し、撮像素子３３としては、例えば、ＣＣＤやＣＭＯＳ等が用いられている。撮像素子３３の光学像から変換された電気的信号により画像データが生成されてライブビュー画像等が表示パネルに表示される。また、撮像素子３３の電気的信号により撮像時のフォーカス調整を自動的に行うための位相差を検出するデータが生成され、位相差を検出するデータに基づいてフォーカスの調整精度が判別される。
【００５５】
撮像素子３３は撮像ユニット１３の撮像センサ２７に対して直交する向きで配置されている。従って、撮像ユニット１３及び撮像素子３３の適切な配置により良好な光学性能を保持した上で小型化を図ることができる。
【００５６】
基板３４の上面には複数の電子部品３４ａ、３４ａ、・・・が搭載されている。
【００５７】
遮光板１５は、図３に示すように、略前後方向を向く横長の板状に形成された遮光部３５と、遮光部３５の右端部から右方へ延びる軸部３６と、遮光部３５の左端部から左方へ延び軸部３６と同軸上にある軸部３７と、軸部３７の中央部から軸部３７の延びる方向に対して直交する方向へ突出されたバネ係止部３８とが一体に形成されて成る。遮光板１５はミラーボックス１１に軸部３６、３７を支点として回動自在に支持され、配置部１６の前端部の内側における挿入孔１６ａの近傍に位置されている。遮光板１５は素子ユニット１４に向かう光の一部を遮蔽する機能を有している。
【００５８】
遮光部３５は一方の面が素子ユニット１４に向かう光の一部を遮蔽する遮光面３５ａとして形成され、他方の面が回動時に力が作用される被作用面３５ｂとして形成されている。
【００５９】
軸部３７の右端部は他の部分より径が大きい大径部３７ａとして設けられている。
【００６０】
バネ係止部３８には係止凹部３８ａが形成されている。
【００６１】
遮光板１５には付勢バネ３９が支持されている。付勢バネ３９は、例えば、捩りコイルバネであり、コイル部３９ａと第１の腕部３９ｂと第２の腕部３９ｃから成る。
【００６２】
付勢バネ３９は、コイル部３９ａが軸部３７の大径部３７ａ以外の部分に支持され、第１の腕部３９ｂがミラーボックス１１の前フランジ部１７に設けられたバネ支持部に係合され、第２の腕部３９ｃがバネ係止部３８の係止凹部３８ａに係合されている。付勢バネ３９はコイル部３９ａの右端が大径部３７ａに接触し、付勢バネ３９の遮光部３５との接触が防止されている。
【００６３】
遮光板１５は遮光面３５ａが略前方を向く遮光位置（図２及び図３参照）と遮光面３５ａが略上方を向き素子ユニット１４の清掃作業をするときの退避位置（図４及び図５参照）との間でそれぞれ回動可能とされている。
【００６４】
上記のように構成された撮像装置１においては、遮光板１５が付勢バネ３９により退避位置から遮光位置に向かう方向へ付勢されている。
【００６５】
また、上記のように構成された撮像装置１においては、遮光板１５は外力が付与されていない状態において付勢バネ３９の付勢力によって配置部１６のストッパー１６ｂに押し付けられて遮光位置に保持されている。
【００６６】
［素子ユニットの清掃作業］
以下に、上記のように構成された撮像装置１における素子ユニット１４に付着した塵埃を除去する清掃作業について説明する（図２乃至図５参照）。
【００６７】
先ず、交換レンズ１００が撮像装置１の筐体２から取り外される。このとき、撮像装置１は筐体２の開口２ａが開放された状態とされ、遮光板１５は遮光位置に位置されている（図２及び図３参照）。
【００６８】
次に、袋状の図示しない空気収容部を圧縮することにより空気を送出するブロワー２００のノズル部２００ａが開口２ａから筐体２の内部に挿入される。このとき、ブロワー２００のノズル部２００ａが遮光板１５の被作用面３５ｂに押し当てられる（図４参照）。
【００６９】
ノズル部２００ａが遮光板１５の被作用面３５ｂに押し当てられることにより遮光板１５が付勢バネ３９の付勢力に反して遮光位置から退避位置へ向けて回動される（図５参照）。なお、ノズル部２００ａを被作用面３５ｂに押し当てたときに遮光板１５の回動量が小さい場合には、手動により遮光板１５を退避位置まで回動させるようにしてもよい。遮光板１５が退避位置まで回動されると、ノズル部２００ａの先端が素子ユニット１４のローパスフィルター２３における前端部の近傍に位置される。
【００７０】
次いで、ブロワー２００の空気収容部が圧縮されてローパスフィルター２３に空気が吹き付けられる。
【００７１】
上記のように、ノズル部２００ａがローパスフィルター２３における前端部の近傍に位置された状態でローパスフィルター２３に対する清掃作業が行われるので、ローパスフィルター２３の前端から後端に至る表面全体に空気が吹き付けられ、ローパスフィルター２３の表面に付着した塵埃が十分に除去される。
【００７２】
次に、ブロワー２００のノズル部２００ａが筐体２から引き抜かれる。
【００７３】
ノズル部２００ａが筐体２から引き抜かれると、付勢バネ３９の付勢力によって遮光板１５が遮光位置まで回動される。
【００７４】
上記のように、撮像装置１にあっては、付勢バネ３９の付勢力によって遮光板１５が遮光位置側へ付勢されているので、素子ユニット１４の清掃時以外において遮光板１５を確実に遮光位置に位置させることができる。また、交換レンズ１００が筐体２に取り付けられた状態において遮光板１５が遮光位置に位置されるので、撮影時には常に素子ユニット１４に向かう光の一部が遮蔽され良好な撮像状態を確保することができる。
【００７５】
＜第２の実施の形態＞
以下に、第２の実施の形態に係る撮像装置及びこれに着脱される交換レンズについて説明する（図６乃至図１０参照）。
【００７６】
なお、以下に示す第２の実施の形態に係る撮像装置及びこれに着脱される交換レンズは、上記した撮像装置１及び交換レンズ１００と比較して、遮光板に対する付勢バネによる付勢方向が逆向きであること及び交換レンズの被取付部の形状が異なることのみが相違する。従って、第２の実施の形態に係る撮像装置及びこれに着脱される交換レンズについては、撮像装置１及び交換レンズ１００と比較して異なる部分についてのみ詳細に説明をし、その他の部分については撮像装置１及び交換レンズ１００における同様の部分に付した符号を付して説明は省略する。
【００７７】
［撮像装置の構成］
交換レンズ１００Ａの鏡筒１０１Ａの後端部には、図６に示すように、被取付部１０３Ａが設けられ、被取付部１０３Ａには外周部における一部から後方へ突出された接触突部１０５が設けられている。接触突部１０５は周方向における一端から他端へ行くに従って後方へ変位する傾斜部１０５ａと傾斜部１０５ａの他端に連続され後方への突出量が同じである押さえ部１０５ｂとから成る。
【００７８】
撮像装置１Ａの撮像部１０Ａはミラーボックス１１とミラーユニット１２と撮像ユニット１３と素子ユニット１４と素子ユニット１４における前側の近傍に配置された遮光板１５Ａとを備えている。
【００７９】
遮光板１５Ａは遮光部３５と軸部３６と軸部３７と軸部３７の中央部から軸部３７の延びる方向に対して直交する方向へ突出されたバネ係止部３８Ａとが一体に形成されて成る（図７参照）。
【００８０】
上記のように構成された撮像装置１Ａにおいては、遮光板１５Ａが付勢バネ３９により遮光位置から退避位置に向かう方向へ付勢されている。
【００８１】
［交換レンズの撮像装置への取付時における遮光板の状態］
以下に、上記のように構成された撮像装置１Ａにおいて交換レンズの撮像装置への取付時における遮光板１５Ａの状態について説明する。
【００８２】
交換レンズ１００Ａが撮像装置１Ａから取り外されて素子ユニット１４に対する清掃作業が行われる状態においては、遮光板１５Ａは付勢バネ３９の付勢力によってミラーボックス１１の前端部における上端部の内面に押し付けられて退避位置に保持されている（図６参照）。従って、清掃作業においてブロワー２００のノズル部２００ａに遮光板１５Ａが干渉することがないので、ローパスフィルター２３の表面全体に空気が吹き付けられ、ローパスフィルター２３の表面に付着した塵埃が十分に除去される。
【００８３】
素子ユニット１４の清掃が完了すると、交換レンズ１００Ａが撮像装置１Ａに取り付けられる。交換レンズ１００Ａの撮像装置１Ａへの取付は交換レンズ１００Ａの被取付部１０３Ａを筐体２の取付部２ｂの内側に挿入し交換レンズ１００Ａを筐体２に対して回転して被取付部１０３Ａを取付部２ｂに係合することにより行われ、このとき、遮光板１５Ａが以下のようにして回動される。
【００８４】
遮光板１５Ａが退避位置に保持された状態において、交換レンズ１００Ａの被取付部１０３Ａが筐体２の取付部２ｂの内側に挿入されると、接触突部１０５が遮光板１５Ａの上側に位置される（図８参照）。
【００８５】
交換レンズ１００Ａが接触突部１０５の押さえ部１０５ｂが下方へ移動される方向へ回転されていくと、接触突部１０５の傾斜部１０５ａが遮光板１５Ａの遮光面３５ａの先端部に摺動され、遮光板１５Ａが付勢バネ３９の付勢力に反して退避位置から遮光位置へ向けて回動されていく（図９参照）。
【００８６】
さらに交換レンズ１００Ａが回転されて撮像装置１Ａに取り付けられると、同時に、接触突部１０５の押さえ部１０５ｂが遮光面３５ａに接し、遮光板１５Ａは遮光位置まで回動され押さえ部１０５ｂによって押さえられた状態で遮光位置に保持される（図１０参照）。
【００８７】
上記したように、撮像装置１Ａにあっては、交換レンズ１００Ａが筐体２に取り付けられるときに交換レンズ１００Ａの接触突部１０５が遮光板１５Ａに接触されて遮光板１５Ａが遮光位置まで回動される。
【００８８】
従って、交換レンズ１００Ａの撮像装置１Ａへの取付作業に伴って遮光板１５Ａが遮光位置まで回動されるので、特別な操作を行うことなく遮光板１５Ａを遮光位置に回動させることができる。
【００８９】
また、交換レンズ１００Ａが撮像装置１Ａから取り外された状態において遮光板１５Ａが付勢バネ３９により退避位置まで回動されるので、ブロワー２００のノズル部２００ａにより遮光板１５Ａを回動させる必要がなく容易に清掃作業を行うことができる。
【００９０】
なお、上記には、撮像装置１において、遮光板１５の退避位置が遮光位置より被写体側に位置された例を示したが、図１１に示すように、退避位置が遮光位置より撮影者側に位置される遮光板１５Ｂを有する撮像装置１Ｂを構成することも可能である。この場合には、遮光板１５Ｂは退避位置において遮光面３５ａが略下方を向き、後端が素子ユニット１４より前方に位置される。
【００９１】
撮像装置１Ｂにおいては、遮光板１５Ｂは外力が付与されていない状態において付勢バネ３９の付勢力によってミラーボックス１１Ｂの配置部１６Ｂの前端部に設けられたストッパー１６ｃに押し付けられて遮光位置に保持される。また、撮像装置１Ｂにおいては、ブロワー２００のノズル部２００ａが遮光板１５Ｂの遮光面３５ａに押し当てられることにより遮光板１５Ｂが遮光位置から退避位置まで回動され、ノズル部２００ａがローパスフィルター２３における前端部の近傍に位置された状態で清掃作業が行われる。
【００９２】
また、上記には、撮像装置１、１Ａ、１Ｂにおいて、遮光板１５、１５Ａ、１５Ｂが回動される例を示したが、遮光板は回動される構成に限られることはない。遮光板は素子ユニット１４に向かう光の一部を遮蔽する遮光位置と素子ユニット１４の清掃作業が行われるときに退避する退避位置との間で移動されればよく、遮光板は遮光位置と退避位置との間で、例えば、上下方向又は前後方向へ移動されるようにしてもよい。
【００９３】
さらに、上記には、被取付部１０３、１０３Ａが取付部２ｂに結合されて交換レンズ１００、１００Ａが撮像装置１、１Ａ、１Ｂに取り付けられる例を示したが、交換レンズ１００、１００Ａは被取付部１０３、１０３Ａと取付部２ｂの大きさの相違を調整するアダプター等のアクセサリーを介して筐体２に取り付けられてもよい。
【００９４】
［まとめ］
以上に記載した通り、撮像装置１、１Ａ、１Ｂにあっては、遮光板１５、１５Ａ、１５Ｂが素子ユニット１４へ向かう光の一部を遮蔽する遮光位置と素子ユニット１４に対する清掃作業が行われるときに退避する退避位置との間で移動可能とされている。
【００９５】
従って、遮光板１５、１５Ａ、１５Ｂが撮影時に遮光位置に位置されて素子ユニット１４へ向かう光の一部を遮蔽し、清掃時に退避位置に位置されてブロワー２００との干渉が回避されるので、良好な撮像状態を確保した上で素子ユニット１４の清掃性の向上を図ることができる。
【００９６】
また、上記したように、遮光板１５、１５Ａ、１５Ｂが遮光位置と退避位置の間で回動可能とされている。
【００９７】
従って、遮光板１５、１５Ａ、１５Ｂの移動スペースを小さくすることができ、小型化を図った上で清掃性の向上を図ることができる。
【００９８】
さらに、上記したように、遮光板１５、１５Ａ、１５Ｂを移動方向における少なくとも一方へ付勢する付勢バネ３９を設けている。
【００９９】
従って、遮光板１５、１５Ａ、１５Ｂが移動方向へ付勢されるので、遮光板１５、１５Ａ、１５Ｂを容易に遮光位置又は退避位置へ移動させることができる。
【０１００】
さらにまた、上記したように、撮像装置１、１Ａにあっては、退避位置が遮光位置より被写体側に位置されている。
【０１０１】
従って、遮光板１５、１５Ａを素子ユニット１４に近付けて配置することができ、撮像装置１、１Ａの小型化を図ることができる。
【０１０２】
また、上記したように、撮像装置１、１Ａ、１Ｂにあっては、遮光板１５、１５Ａ、１５Ｂが遮光位置において光軸に対して直交する方向を向くようにされている。
【０１０３】
従って、遮光板１５、１５Ａ、１５Ｂにより良好な遮光状態が得られるので、一層良好な撮像状態を確保することができる。
【０１０４】
加えて、上記したように、撮像装置１、１Ａ、１Ｂにあっては、ミラー１９が半透過型のミラーであり、ミラー１９を透過した光が入射される撮像センサ２７を有する撮像ユニット１３とミラー１９により反射された光が入射される撮像素子３３を有する素子ユニット１４とが設けられている。
【０１０５】
従って、撮像センサ２７及び撮像素子３３の電気的信号により複数の異なる種類のデータの生成が可能であるので、機能性の向上を図ることができる。
【０１０６】
［本技術］
なお、本技術は以下のような構成とすることができる。
【０１０７】
（１）アクセサリーが着脱可能な筐体と、前記筐体の内部に配置され前記筐体の内部に入射する光を反射するミラーと、前記筐体の内部に配置され前記ミラーにより反射された光を光電変換する撮像素子を有する素子ユニットと、前記素子ユニットに向かう光の一部を遮蔽する遮光板とを備え、前記遮光板が前記素子ユニットへ向かう光の一部を遮蔽する遮光位置と前記素子ユニットに対する所定の作業が行われるときに退避する退避位置との間で移動可能とされた撮像装置。
【０１０８】
（２）前記遮光板が前記遮光位置と前記退避位置の間で回動可能とされた前記（１）に記載の撮像装置。
【０１０９】
（３）前記退避位置が前記遮光位置より被写体側に位置される前記（１）又は前記（２）に記載の撮像装置。
【０１１０】
（４）前記遮光板を移動方向における少なくとも一方へ付勢する付勢バネを設けた前記（１）から前記（３）の何れかに記載の撮像装置。
【０１１１】
（５）前記遮光板が前記遮光位置側へ付勢された前記（４）に記載の撮像装置。
【０１１２】
（６）前記遮光板を前記退避位置側へ付勢する付勢バネを設け、前記アクセサリーに、前記アクセサリーが前記筐体に取り付けられたときに前記遮光板に接触して前記遮光板を前記遮光位置に移動させる接触突部を設けた前記（１）から前記（３）の何れかに記載の撮像装置。
【０１１３】
（７）前記遮光板が前記遮光位置において光軸に対して直交する方向を向くようにされた前記（１）から前記（６）の何れかに記載の撮像装置。
【０１１４】
（８）前記ミラーが前記筐体の内部に入射する光を反射及び透過する半透過型のミラーであり、前記筐体の内部に配置され前記ミラーを透過した光を光電変換する撮像センサを有する撮像ユニットを設けた前記（１）から前記（７）の何れかに記載の撮像装置。
【０１１５】
（９）前記撮像素子と前記撮像センサを直交する向きで配置した前記（８）に記載の撮像装置。
【０１１６】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１１７】
【図１】図２乃至図５と共に第１の実施の形態を示すものであり、本図は、撮像装置及び交換レンズの概略斜視図である。
【図２】撮像部の拡大断面図である。
【図３】遮光位置における遮光板を示す拡大斜視図である。
【図４】素子ユニットの清掃時におけるブロワーの一部と遮光板の状態を示す拡大断面図である。
【図５】退避位置における遮光板を示す拡大斜視図である。
【図６】図７乃至図１０と共に第２の実施の形態を示すものであり、本図は、撮像装置及び交換レンズの概略斜視図である。
【図７】退避位置における遮光板を示す拡大斜視図である。
【図８】図９及び図１０と共に交換レンズの撮像装置への取付時における遮光板の状態を示すものであり、本図は、交換レンズの撮像装置への取付開始時における状態を示す概略側面図である。
【図９】交換レンズの撮像装置への取付動作中における状態を示す概略側面図である。
【図１０】交換レンズの撮像装置への取付完了時における状態を示す概略側面図である。
【図１１】変形例に係る撮像装置を示す概略拡大断面図である。
【符号の説明】
【０１１８】
１…撮像装置、２…筐体、１３…撮像ユニット、１４…素子ユニット、１５…遮光板、１９…ミラー、２７…撮像センサ、３３…撮像素子、３９…付勢バネ、１００…交換レンズ（アクセサリー）、１Ａ…撮像装置、１５Ａ…遮光板、１００Ａ…交換レンズ（アクセサリー）、１０５…接触突部、１Ｂ…撮像装置、１５Ｂ…遮光板
【図１】
2013083691.tif 000003
【図２】
2013083691.tif 000004
【図３】
2013083691.tif 000005
【図４】
2013083691.tif 000006
【図５】
2013083691.tif 000007
【図６】
2013083691.tif 000008
【図７】
2013083691.tif 000009
【図８】
2013083691.tif 000010
【図９】
2013083691.tif 000011
【図１０】
2013083691.tif 000012
【図１１】
2013083691.tif 000013